(57)【要約】【課題】軸筒に尾栓を装着する際に、ガタツキを防止した状態で装着でき、更に、尾栓が軸筒から外れ難く構成した筆記具を提供すること。【解決手段】軸筒５と該軸筒５の後端部に装着された尾栓６とを有し、尾栓６が、軸筒５の後端部に当接する鍔部６ｄと、軸筒５の内壁に設けた被係止部２ｄに係止する係止部６ｇと、を具備し、係止部６ｇの後端に、軸方向に対して傾斜した方向に延びる後方当接部６ｍと、後方当接部６ｍの前端に連接し外方へ向って突設された後方壁部６ｎと、を備え、被係止部２ｄの前端に、後方当接部６ｍと当接する被当接部２ｇと、尾栓６が軸筒５に対して後退した際、後方壁部６ｎに係合する前方壁部２ｆと、を備える。【選択図】図２
2019111722.tif 000002
【特許請求の範囲】
【請求項１】
後端部に開口部を備えた軸筒と、前記開口部に装着される尾栓と、を備えた筆記具であって、
前記尾栓が、後端に有底部を備えた筒状に形成されると共に、前記軸筒の後端部に当接する鍔部と、前記軸筒の内壁に設けた被係止部に係止する係止部と、を具備し、
前記係止部の後端に、軸方向に対して傾斜した方向に延びる後方当接部と、後方当接部の前端に連接し外方へ向って突設された後方壁部と、を備え、
前記被係止部の前端に、前記係止部の後方当接部と当接する被当接部と、前記尾栓が前記軸筒に対して後退した際、前記係止部の後方壁部に係合するよう該後方壁部の形状に合わせて形成された前方壁部と、を備えたことを特徴とする筆記具。
【請求項２】
前記尾栓の後方壁部に、軸方向後方に向って突出する凸部、または、軸方向前方へ向かって凹む凹部が形成され、
前記軸筒の前方壁部に、軸方向後方へ向って凹み前記後方壁部の凸部と係合する凹状部、または、軸方向前方へ向って突出し前記後方壁部の凹部と係合する凸状部が形成されたことを特徴とする請求項１に記載の筆記具。
【請求項３】
前記尾栓の後方当接部と前記軸筒の被当接部とが当接した状態では、前記軸筒の前方壁部と前記尾栓の後方壁部との間に形成される隙間が０．０４ｍｍ以上、０．２０ｍｍ以下となることを特徴とする請求項１または２に記載の筆記具。
【発明の詳細な説明】
【技術分野】
【０００１】
本発明は、軸筒に対して尾栓を装着した筆記具に関するものである。
【背景技術】
【０００２】
従来からキャップ式の筆記具などでは軸筒後端に尾栓を装着する筆記具はよく知られており、例えば特許文献１には、軸筒の後端開口部に尾栓を圧入して嵌着することで軸筒に対して尾栓を装着している筆記具が開示されている。
この特許文献１の尾栓取り付け構造では、軸筒と尾栓との嵌合力は軸筒の内径寸法および尾栓の外径寸法に依存しているため、装着時の嵌合力にはバラツキが発生し易く、必要に応じて接着剤等を併用して固着する必要があった。
【０００３】
一方、特許文献２には、軸筒の開口部にクリップを一体成形した部材（以降クリップ部材）を装着する構造が開示されている。
この特許文献２の構造では、クリップ部材が、外方へ露出する外筒部と、軸筒の開口部内に挿入される内筒部とを有し、内筒部の外周面に係合突起とガイド用突起が形成され、軸筒の開口部の内壁面に軸方向に延びるガイド溝と係合孔とが形成され、クリップ部材の内筒部のガイド用突起を軸筒のガイド溝に挿嵌しつつクリップ部材の内筒部を軸筒内に挿入し、軸筒の係合孔とクリップ部材の係合突起とを係合させることで、軸筒に対してクリップ部材を装着している。このため、クリップ部材は軸筒に対して回転方向を決められた状態で係合される。
【０００４】
しかしながら、特許文献２の構造では、係合突起を係合孔に入れるために、軸筒の開口端から係合孔の距離に比べて、クリップ部材の内筒部の端部から係合突起までの距離を大きく形成する必要がある。このため、その差分が係合時における軸方向でのガタツキになることで、係合後も軸筒に対してクリップ部材が前後に動いてしまう問題があった。
【０００５】
また、特許文献３には、キャップを軸筒に装着した際に該キャップと軸筒との軸方向におけるガタツキを防止する構造が開示されている。
この特許文献３の構造では、軸筒の外周面に環状の外向突起が一体に形成され、キャップを構成する外筒部の内周面には環状の内向突起が形成され、外向突起の後面が後方へ向かうに従って外径が小さくなる傾斜面状に形成されている。このため、キャップを軸筒に装着し、外向突起に内向突起が乗り越え係合された状態では、内向突起が外向突起後面により後方へ押圧された状態になり、キャップのガタツキを防止することができる。
【先行技術文献】
【特許文献】
【０００６】
【特許文献１】実公昭５６−３１４１１号公報
【特許文献２】特開平１１−１８００８７号公報
【特許文献３】特開２００５−０４１２０１号公報
【発明の概要】
【発明が解決しようとする課題】
【０００７】
しかしながら、特許文献３の構造は、キャップ装着時のガタツキを防止することができるが、外向突起の後面を傾斜面状に形成しているため、外向突起と内向突起との係合状態が外れやすく、取り外し自在なキャップと軸筒との係合などには効果を発揮するが、軸筒に対して着脱不能に尾栓を装着する場合には尾栓が外れ易くなる問題がある。
【０００８】
本発明は、前記問題を鑑みてなされたものであって、軸筒に尾栓を装着する際に、ガタツキを防止した状態で装着でき、且つ、尾栓を軸筒から外れ難く構成した筆記具を提供することを目的とした。
【課題を解決するための手段】
【０００９】
本発明は、
「１．後端部に開口部を備えた軸筒と、前記開口部に装着される尾栓と、を備えた筆記具であって、
前記尾栓が、後端に有底部を備えた筒状に形成されると共に、前記軸筒の後端部に当接する鍔部と、前記軸筒の内壁に設けた被係止部に係止する係止部と、を具備し、
前記係止部の後端に、軸方向に対して傾斜した方向に延びる後方当接部と、後方当接部の前端に連接し外方へ向って突設された後方壁部と、を備え、
前記被係止部の前端に、前記係止部の後方当接部と当接する被当接部と、前記尾栓が前記軸筒に対して後退した際、前記係止部の後方壁部に係合するよう該後方壁部の形状に合わせて形成された前方壁部と、を備えたことを特徴とする筆記具。
２．前記尾栓の後方壁部に、軸方向後方に向って突出する凸部、または、軸方向前方へ向かって凹む凹部が形成され、
前記軸筒の前方壁部に、軸方向後方へ向って凹み前記後方壁部の凸部と係合する凹状部、または、軸方向前方へ向って突出し前記後方壁部の凹部と係合する凸状部が形成されたことを特徴とする前記１項に記載の筆記具。
３．前記尾栓の後方当接部と前記軸筒の被当接部とが当接した状態では、前記軸筒の前方壁部と前記尾栓の後方壁部との間に形成される隙間が０．０４ｍｍ以上、０．２０ｍｍ以下となることを特徴とする前記１項または２項に記載の筆記具。」である。
【００１０】
本発明によれば、尾栓の係止部の後端に、軸方向に対して傾斜した方向に延びる後方当接部を形成し、軸筒内壁に形成した被係止部の前端に尾栓の後方当接部と当接する被当接部を形成することで、軸筒に対して尾栓が常に前方側に付勢される。このため、尾栓の鍔部が軸筒の後端に常に当接することで、尾栓が軸筒に対して軸方向にガタツクことを防止できる。また、尾栓が軸筒に対して後退した際、後方当接部の前端に連接して突設された後方壁部に係合するよう該後方壁部の形状に合わせて前方壁部を形成することで、軸筒に対して無理に尾栓を引き抜こうとしても、係止部の後方壁部と被係止部の前方壁部とが係合することで尾栓が軸筒から抜けてしまうことを防止することができる。
【００１１】
また、尾栓の後方壁部に、軸方向後方に向って突出する凸部、または、軸方向前方へ向かって凹む凹部を形成し、軸筒の前方壁部に、軸方向後方へ向って凹み後方壁部の凸部と係合する凹状部、または、軸方向前方へ向って突出し後方壁部の凹部と係合する凸状部を形成することが好ましく、この場合、軸筒に対して無理に尾栓を引き抜こうとして、係止部の後方壁部と被係止部の前方壁部とが当接すると、後方壁部の凸部または凹部が、前方壁部の凹状部または凸状部と係合することで、係止部と被係止部とがより強固に係合することとなり、軸筒から尾栓が抜けることを防止する効果を高めることができる。
【００１２】
更に、尾栓の後方当接部と軸筒の被当接部とが当接した状態では、軸筒の前方壁部と尾栓の後方壁部との間に形成される隙間が０．０４ｍｍ以上、０．２０ｍｍ以下となるよう構成することが好ましく、この場合、隙間が０．０４ｍｍ以上あることで、係止部と被係止部とを余裕を持って係合させことができ、且つ、隙間が０．２０ｍｍ以下とすることで、尾栓を無理に抜こうとしてもすぐに後方壁部と前方壁部とが当接することで勢いが付かず、尾栓の抜けを防止することができる。
【発明の効果】
【００１３】
本発明により、軸筒に尾栓を装着する際に、ガタツキを防止した状態で装着でき、更に、尾栓が軸筒から外れ難く構成した筆記具を提供することができた。
【図面の簡単な説明】
【００１４】
【図１】実施例１の筆記具（ボールペン）の縦断面図である。
【図２】図１の筆記具の要部を拡大した要部拡大縦断面図である。
【図３】図２におけるＡ−Ａ断面図である。
【図４】実施例１における尾栓の斜視図である。
【図５】軸筒に尾栓を取り付ける状況を説明するための説明図である。
【図６】図１において、軸筒に対して尾栓が後方へ移動した状態の要部拡大断面図である。
【図７】図６の要部を更に拡大した要部拡大断面図である。
【図８】実施例２の筆記具の要部を拡大した要部拡大縦断面図である。
【図９】図８において、軸筒に対して尾栓が後方へ移動した状態の要部拡大断面図である。
【図１０】図９の要部を更に拡大した要部拡大断面図である。
【００１５】
次に図面を参照しながら、本発明の筆記具をボールペンを用いて詳細に説明するが、本発明は以下の実施例に限定されるものではない。
また、本実施例では、軸筒の長手方向において、ボールペンチップがある方を前方と表現し、その反対側を後方と表現する。更に、軸筒の軸径方向において、ボールペンレフィルがある方を内方と表現し、その反対側を外方と表現する。
尚、説明を分かりやすくするために、図面中の同様の部材、同様の部分については同じ符号を付してある。
【００１６】
実施例１
本発明の筆記具１（ボールペン）は、図１から図７に示すように、筒状に形成した後軸２の前部に同じく筒状に形成した前軸３を螺合することで固定し、更に、前軸３の前部に筒状の先口４を螺合することで固定してある。また、筆記具１は、後軸２と前軸３と先口４とで軸筒５を形成してあり、先口４の前端開口部から筆記先端部７ａが突出するようにボールペンレフィル７を軸筒５内に収納し、後軸２（軸筒５）の後端に尾栓６を装着してある。更に、ボールペンレフィル７と先口の内段との間に、弱い弾発力で形成したコイルスプリング１１が配設してあり、コイルスプリング１１によりボールペンレフィル７を後方へ弾発してある。
【００１７】
ボールペンレフィル７は、図１に示すように、先端開口部にタングステンカーバイド製のボールを抱持させ、筆記先端部７ａとなるボールペンチップ８を、樹脂製のインキ収容筒９の前端部に、チップホルダー１０を介して装着してある。
このボールペンレフィル７で筆記すると、ボールペンチップ８のボールの回転と筆圧によって、ボールがボールペンチップ８の先端開口部の底壁側に移動して、先端開口部の内壁とボールに隙間を生じ、インキ収容筒９内に収納した筆記具用水性ゲルインキを吐出して筆記することができる。
【００１８】
前軸３は、図１に示すように、筒状に形成してあり、前端内周部に先口４の雄螺子部４ａと螺合するための前部雌螺子部３ａを形成してあり、後部外周部には後部雄螺子部３ｂを形成してある。
【００１９】
後軸２は、図１から図３及び図５に示すように、筒状に形成してあり、前端内周部に前軸３の後部雄螺子部３ａと螺合するための雌螺子部２ａを形成してあり、後部内周部２ｂ（開口部）には、軸周方向に均等配置させた状態で形成した複数のリブ２ｃと、内方へ向って突出し軸周方向に延びる内突起２ｄ（被係止部）と、を形成してある。そして、隣り合うリブ２ｃの間には内溝部２ｅが形成される。
尚、内突起２ｄ（被係止部）の前端には、図２及び図５に示すように、軸方向に対して直交する方向に延びる前方壁部２ｆと、前方壁部２ｆの内方端には先端角部２ｇ（被当接部）と、が形成してある。また、リブ２ｃの後端の内周部は拡径された内側部２ｈが形成してある。
【００２０】
尾栓６は、図２から図５に示すように、内孔６ａに有底部６ｂを備えた筒状に形成してあり、後軸２内（軸筒５内）に挿入される内筒部６ｃと後軸２の後端面２ｉに当接する鍔部６ｄを備えた後筒部６ｅとで構成してある。また、内筒部６ｃの前部は太径に形成してあり、前端にはボールペンレフィル７の後端部が当接して、ボールペンレフィル７の後退を制限してある。更に、内筒部６ｃの外周面には、内外を貫通し、軸方向に延びるよう楕円形状で形成した切欠部６ｆと、切欠部６ｆに対して９０°回転した位置に、外方へ向って突出し、軸心を挟んで対称に２箇所形成した係止突起６ｇ（係止部）と、当該係止突起６ｇ（係止部）の後方に、外方へ向って突出し軸方向に延びるレール状に形成された第一ガイド部６ｈと、軸周方向に延びるように形成された第二ガイド部６ｉと、を設けてある。
【００２１】
尾栓６を更に詳述すると、尾栓６の第一ガイド部６ｈは、軸周方向に延びるように形成され溝状に形成された第一溝部６ｊにより軸方向に対して前後に分断され、前部第一ガイド部６ｈ１と後部第一ガイド部６ｈ２が形成される。また、第二ガイド部６ｉは、軸周方向に延びるように形成され溝状に形成された第二溝部６ｋにより軸方向に対して前後に分断され、前部第二ガイド部６ｉ１と後部第二ガイド部６ｉ２が形成される。そして、第一溝部６ｊと第二溝部６ｋは連接するように形成され、一体の溝部として形成してある。
また、切欠部６ｆの後端は第二溝部６ｋまで達しており、前部第二ガイド部６ｉ１は、切欠部６ｆにより軸周方向にも分断されるよう構成してある。また、前部第一ガイド部６ｈ１の前端は尖形状に形成してある。
尚、具体的には、第一溝部６ｊの幅は１．０ｍｍで形成し、第二溝部６ｋの幅を１．６ｍｍで形成した。
【００２２】
また、尾栓６の係止突起６ｇ（係止部）の後端には、軸方向に対して傾斜した後方傾斜部６ｍ（後方当接部）と、後方傾斜部６ｍ（後方当接部）の前端に連接し外方へ向って突設された後方壁部６ｎと、が形成されており、尾栓６の後方傾斜部６ｍ（後方当接部）と、後軸２の内突起２ｄ（被係止部）の先端角部２ｇ（被当接部）と、が当接した状態で係合させてある。
尚、尾栓６の後方傾斜部６ｍ（後方当接部）と、後軸２の内突起２ｄ（被係止部）の先端角部２ｇ（被当接部）と、が当接した状態では、後軸２（軸筒５）の前方壁部２ｆと尾栓６の後方壁部６ｎとの間には隙間が形成され、その隙間は、０．０４ｍｍ以上、０．２０ｍｍ以下となるよう構成することが好ましく、隙間を０．０４ｍｍ以上とすることで、係止突起６ｇ（係止部）と内突起２ｄ（被係止部）とを余裕を持って係合させことができ、且つ、隙間を０．２０ｍｍ以下とすることで、尾栓６が後退可能な距離が制限され、尾栓６が後軸２（軸筒５）に対して抜け難くなる効果を奏する。
【００２３】
ここで、尾栓６を後軸２（軸筒５）に取り付ける際の状態を説明する。
図５に示すように、尾栓６の内筒部６ｃを前方にした状態で、後軸２の後部内周部２ｂに内筒部６ｃを挿入すると、尾栓６の係止突起６ｇ（係止部）が後軸２の内突起２ｄと当接するより先に、尾栓６の前部第一ガイド部６ｈ１の尖形状に形成した前端が後軸２の内溝部２ｅに挿入され、前部第一ガイド部６ｈ１により尾栓６の軸周方向の位置が案内される。そして、後軸２の内側部２ｈまで尾栓６の前部第二ガイド部６ｉ１が進むと、内側部２ｈに前部第二ガイド部６ｉ１が挿入され、後軸２に対して尾栓６の軸径方向の位置が案内される。更に、尾栓６を前方へ押し込むと、尾栓６の係止突起６ｇ（係止部）が後軸２の内突起２ｄに対して乗り越え嵌合する。この際、尾栓６の第一ガイド部６ｈは第一溝部６ｊにより軸方向に対して前後に分断され、第二ガイド部６ｉは第二溝部６ｋにより軸方向に対して前後に分断されると共に、第一ガイド部６ｈの前部第一ガイド部６ｈ１が、切欠部６ｆにより軸周方向に対して分断されていることから、乗り越え嵌合時に係止突起６ｇ（係止部）が内突起２ｄ（被係止部）により内方側に押圧されると、内筒部６ｃは内方側へ撓み易くなるよう構成してある。このため、後軸２（軸筒５）に対して尾栓６を容易に装着することができた。
【００２４】
また、具体的には、尾栓６を装着する際に必要となった押圧力は１９．６Ｎであり、第一溝部６ｊ及び第二溝部６ｋの幅を０．５ｍｍ以上としていることで尾栓６の装着時の押圧力を抑えることができた。更に、第一溝部及び第二溝部の幅を２．０ｍｍ以下としていることで、後部第一ガイド部６ｈ２及び後部第二ガイド部６ｉ２が後軸２の内溝部２ｅ及び内側部２ｈに挿入される際、尾栓６は後軸２（軸筒５）に対して傾くことはなく、スムーズに挿入された。
更に、尾栓６を後軸２に装着した際、尾栓６の係止突起６ｇ（係止部）の後方壁部６ｎと後軸２（軸筒５）の内突起２ｄ（被係止部）の前方壁部２ｆとの間の隙間の幅は０．１０ｍｍであり、隙間の幅が０．０４ｍｍ以上あるため、尾栓６の装着時の係止突起６ｇ（係止部）が内突起２ｅ（被係止部）に対して乗り越え嵌合する際に、内突起２ｅ（被係止部）が係止突起６ｇ（係止部）に接触して微小に傾いても、乗り越えることができた。
【００２５】
尚、本実施例では、後軸２の内溝部２ｅが隣り合うリブ２ｃ同士の間に複数形成されると共に、内溝部２ｅの後端部は傾斜して形成することで拡口されており、同時に、尾栓６の前部第一ガイド部６ｈ１の前端部も尖形状に形成してあるため、尾栓６を後軸２に挿入する際、軸周方向の回転位置を合わせることなく挿入しても、第一ガイド部６ｈが内溝部２ｅに案内されて軸周方向の嵌合位置が合うように構成してある。このため、後軸２（軸筒５）に対する尾栓６の装着はより容易となった。
【００２６】
また、尾栓６を後軸２に取り付けた際、尾栓６の係止突起６ｇ（係止部）の後方傾斜部６ｍ（後方当接部）と、後軸２の内突起２ｄ（被係止部）の先端角部２ｇ（被当接部）と、が必ず当接するよう、尾栓６の内筒部２ｃが軸径方向に少し撓んだ状態で当接させてある。これにより、尾栓６は内突起２ｃの撓みによる弾発力を受けて後軸２（軸筒５）に対して前方へ付勢され、尾栓６の鍔部６ｄの前端が後軸２の後端に常に当接するよう構成することで、尾栓６が軸方向にガタツクことを防止してある。
【００２７】
更に、尾栓６を後軸２（軸筒５）に対して引き抜く、または、尾栓６が当該尾栓６の前端部に当接しているボールペンレフィル６により後方（図２の矢印Ｐ方向）へ押されて移動しても、図６及び図７に示すように、尾栓６の係止突起６ｇ（係止部）の後方壁部６ｎと後軸２の内突起２ｄ（被係止部）の前方壁部２ｆとが面接触することで、内突起２ｄを係止突起６ｇ（係止部）が乗り越え難くなるよう構成し、尾栓６が後軸２（軸筒５）から外れることを防止してある。
また、具体的には、後軸２に対して尾栓６を引き抜くのに必要な力（引抜力）は７５．４Ｎであり、取り付け時の押圧力１９．６Ｎと比べて高いことから、装着が容易で抜け難い筆記具となった。また、前述したように、尾栓６の係止突起６ｇ（係止部）の後方壁部６ｎと後軸２（軸筒５）の内突起２ｄ（被係止部）の前方壁部２ｆとの間の隙間の幅は０．１ｍｍであり、隙間の幅が０．２０ｍｍ以下であるため、尾栓６が後退できる距離が短いことから、尾栓６を後軸２（軸筒５）から無理に引き抜こうとしても、すぐに後方壁部６ｎと前方壁部２ｆとが当接することで勢いが付かず、尾栓の抜けを更に防止できた。
【００２８】
尚、後方壁部６ｎと前方壁部２ｆとが接触した際に、尾栓６が後軸２に対して強く係合するように、軸径方向に延びる後方壁部６ｎ及び前方壁部２ｆを、若干傾斜させて形成してもよく、後方壁部６ｎと前方壁部２ｆとの接触面の粗さを調整して係合時の摩擦係数が高くなるよう構成してもよい。
【００２９】
実施例２
本発明の第二の形態としては、図８に示すように、筆記具１００は、尾栓６０の係止突起６０ｇ（係止部）の後方壁部６０ｎに、軸方向前方へ向って凹状に形成した凹部６０ｐを形成し、後軸２０の内突起２０ｄ（被係止部）の前方壁部２０ｆに、軸方向前方へ向って突出し後方壁部の凹部６０ｐと係合可能な凸状部２０ｊ（被当接部）が形成してある。
尚、尾栓６０を軸筒に取り付けた際、尾栓６０の係止突起６０ｇ（係止部）の後方傾斜部６０ｍ（後方当接部）と、後軸２の内突起２ｄ（被係止部）の凸状部２０ｊ（被当接部）と、が必ず当接するよう、尾栓６０の内筒部２０ｃが軸径方向に少し撓んだ状態で当接させてある。
【００３０】
また、本実施例では、尾栓６０を後軸２０（軸筒５０）に対して引き抜く、または、尾栓６０が当該尾栓６０の前端部に当接しているボールペンレフィル７により後方（図８の矢印Ｐ方向）へ押されて移動した際、図９及び図１０に示すように、尾栓６０の係止突起６０ｇ（係止部）の後方壁部６０ｎと後軸２０の内突起２０ｄ（被係止部）の前方壁部２０ｆとが面接触すると共に、後方壁部６０ｎに形成した凹部６０ｐに前方壁部２０ｆに形成した凹状部２０ｊが係合することで、内突起２０ｄを係止突起６０ｇ（係止部）が乗り越え難くなるよう構成し、尾栓６０が後軸２０（軸筒５０）から外れることを防止してある。
尚、本実施例において、後軸２０に尾栓６０を装着させるのに必要な押圧力は１９．６Ｎであり、後軸２０に対して尾栓６０の引き抜くのに必要な引抜力は９８．２Ｎであった。このため、本実施例を用いることで軸筒に対して尾栓が装着し易く、更に外れにくい筆記具を提供することができた。
【００３１】
尚、本発明に用いる筆記具としては、特に限定されることはなく、尾栓を備えた構造であれば、ボールペン、シャープペンシル、万年筆、マーカー、サインペン等に用いることができる。
【符号の説明】
【００３２】
１…筆記具、
２…後軸、２ａ…雌螺子部、２ｂ…後部内周部、２ｃ…リブ、
２ｄ…内突起（被係止部）、２ｅ…内溝部、２ｆ…前方壁部、
２ｇ…先端角部（被当接部）、２ｈ…内側部、２ｉ…後端面、
３…前軸、３ａ…前部雄螺子部、３ｂ…後部雌螺子部、
４…先口、４ａ…雄螺子部、
５…軸筒、
６…尾栓、６ａ…内孔、６ｂ…有底部、６ｃ…内筒部、６ｄ…鍔部、６ｅ…後筒部、
６ｆ…切欠部、６ｇ…係止突起（係止部）、６ｈ…第一ガイド部、
６ｈ１…前部第一ガイド部、６ｈ２…後部第一ガイド部、６ｉ…第二ガイド部、
６ｉ１…前部第二ガイド部、６ｉ２…後部第二ガイド部、６ｊ…第一溝部、
６ｋ…第二溝部、
６ｍ…後方傾斜部（後方当接部）、６ｎ…後方壁部、
７…ボールペンレフィル、７ａ…先端部、
８…ボールペンチップ、
９…インキ収容筒、
１０…チップホルダー、
１１…コイルスプリング、
２０…後軸、２０ｄ…内突起（被係止部）、２０ｆ…前方壁部、
２０ｊ…凸状部（被当接部）、
５０…軸筒、
６０…尾栓、６０ｃ…内筒部、６０ｇ…係止突起（係止部）、
６０ｍ…後方傾斜部（後方当接部）、６０ｎ…後方壁部、６０ｐ…凸状部、
１００…筆記具。
【図１】
2019111722.tif 000003
【図２】
2019111722.tif 000004
【図３】
2019111722.tif 000005
【図４】
2019111722.tif 000006
【図５】
2019111722.tif 000007
【図６】
2019111722.tif 000008
【図７】
2019111722.tif 000009
【図８】
2019111722.tif 000010
【図９】
2019111722.tif 000011
【図１０】
2019111722.tif 000012